【手続補正書】
【提出日】平成15年11月27日(2003.11.27)
【手続補正１】
【補正対象書類名】明細書
【補正対象項目名】発明の名称
【補正方法】変更
【補正の内容】
【発明の名称】電子データ保管システム


【手続補正２】
【補正対象書類名】明細書
【補正対象項目名】特許請求の範囲
【補正方法】変更
【補正の内容】
【特許請求の範囲】
【請求項１】
ネットワークを介してクライアント端末からの電子データを受信し、データベースに保管する電子データ保管システムであって、
前記データベースに保管された電子データへのアクセス要求を受け付ける受付手段と、
前記受け付けられたアクセス要求のログを記憶するログ記憶手段と、
前記アクセス料金を算出するための単価を複数、設定し、メモリに記憶する単価設定手段と、
前記ログ記憶手段に記憶されたログと前記単価設定手段によりメモリに記憶された複数の単価を読み出し、それらに基づいて、各アクセス料金見積もりを算出するアクセス料金見積もり手段と、
前記算出された各アクセス料金見積もりと電子データの保管料金とから複数の契約料金を算出し、メモリに記憶する契約料金算出手段と、
前記算出手段によりメモリに記憶された複数の契約料金を読み出し、その中から１つを選択する選択手段と、
前記単価設定手段によりメモリに記憶された単価の中から、前記選択手段により選択された契約料金を算出するのに用いられたアクセス料金見積もりの単価を読み出す読出手段と、
前記読み出し手段により読み出された単価に基づいて、前記データベースに保管された電子データへのアクセスに対して課金されるアクセス料金を算出するアクセス料金算出手段とを備えたことを特徴とする電子データ保管システム。
【請求項２】
前記アクセス料金算出手段は、前記単価と前記クライアント端末から前記データベースに保管された電子データへのアクセス回数に基づいて、アクセス料金を算出することを特徴とする請求項１に記載の電子データ保管システム。
【請求項３】
前記アクセス料金算出手段は、前記単価と前記クライアント端末からのアクセス時刻に基づいて、アクセス料金を算出することを特徴とする請求項１に記載の電子データ保管システム。
【請求項４】
前記クライアント端末別に所定の期間を設定し、メモリに記憶する期間記憶手段と、
前記期間記憶手段から所定の期間を読み出し、当該所定の期間が経過を確認する経過期間確認手段とを備え、
前記クライアント端末は、前記経過期間確認手段により、所定の期間が経過したと判断されたクライアント端末であることを特徴とする請求項１に記載の電子データ保管システム。
【請求項５】
前記算出されたアクセス料金を前記クライアント端末に送信する送信手段とを備えることを特徴とする請求項１に記載の電子データ保管システム。
【手続補正３】
【補正対象書類名】明細書
【補正対象項目名】０００１
【補正方法】変更
【補正の内容】
【０００１】
【発明の属する技術分野】
本発明は、ネットワーク上でクライアント端末の電子データを保管しておき、クライアント端末が必要なときに所望の電子データにアクセスする電子データ保管システムに関するものである。


【手続補正４】
【補正対象書類名】明細書
【補正対象項目名】００１３
【補正方法】変更
【補正の内容】
【００１３】
【発明が解決しようとする課題】
本発明は上記の従来技術の課題を解決するためになされたもので、その目的とするところは、アクセス状況に応じた料金設定が可能で、利便性に優れた電子データ保管システムを提供することにある。


【手続補正５】
【補正対象書類名】明細書
【補正対象項目名】００１４
【補正方法】変更
【補正の内容】
【００１４】
【課題を解決するための手段】
上記目的を達成するために、本発明の電子データ保管システムにあっては、
ネットワークを介してクライアント端末からの電子データを受信し、データベースに保管する電子データ保管システムであって、
前記データベースに保管された電子データへのアクセス要求を受け付ける受付手段と、
前記受け付けられたアクセス要求のログを記憶するログ記憶手段と、
前記アクセス料金を算出するための単価を複数、設定し、メモリに記憶する単価設定手段と、
前記ログ記憶手段に記憶されたログと前記単価設定手段によりメモリに記憶された複数の単価を読み出し、それらに基づいて、各アクセス料金見積もりを算出するアクセス料金見積もり手段と、
前記算出された各アクセス料金見積もりと電子データの保管料金とから複数の契約料金を算出し、メモリに記憶する契約料金算出手段と、
前記算出手段によりメモリに記憶された複数の契約料金を読み出し、その中から１つを選択する選択手段と、
前記単価設定手段によりメモリに記憶された単価の中から、前記選択手段により選択された契約料金を算出するのに用いられたアクセス料金見積もりの単価を読み出す読出手段と、
前記読み出し手段により読み出された単価に基づいて、前記データベースに保管された電子データへのアクセスに対して課金されるアクセス料金を算出するアクセス料金算出手段とを備えたことを特徴とする。
また、前記アクセス料金算出手段は、前記単価と前記クライアント端末から前記データベースに保管された電子データへのアクセス回数に基づいて、アクセス料金を算出するとよい。
また、前記アクセス料金算出手段は、前記単価と前記クライアント端末からのアクセス時刻に基づいて、アクセス料金を算出するとよい。
また、前記クライアント端末別に所定の期間を設定し、メモリに記憶する期間記憶手段と、
前記期間記憶手段から所定の期間を読み出し、当該所定の期間が経過を確認する経過期間確認手段とを備え、
前記クライアント端末は、前記経過期間確認手段により、所定の期間が経過したと判断されたクライアント端末であるとよい。
また、前記算出されたアクセス料金を前記クライアント端末に送信する送信手段とを備えるとよい。


【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００９５
【補正方法】変更
【補正の内容】
【００９５】
【発明の効果】
以上説明したように、本発明によれば、ネットワーク上に保管された電子データへのアクセス状況を元に、最適な料金体系を自動的に選択でき、利用者による料金体系の選択の手間を省くことができる。